(57)【要約】【課題】ロール紙印刷機の印刷ユニットの生産利用可能性が制限されている。【解決手段】個々の印刷部（１１、１２、１３、１４）は、転写胴（１５）と、インキ部と、場合によっては湿し部と、を備えている。本発明によれば個々の印刷部（１１、１２、１３、１４）は、少なくとも二つの版胴（１７、１８）を有する版胴ユニット（１６）を備え、印刷モードにおいて版胴ユニット（１６）の一つの版胴（１７）が前記個々の印刷部（１１、１２、１３、１４）の前記転写胴（１５）に当接されているとき、他方の版胴（１８）は前記個々の印刷部（１１、１２、１３、１４）の前記転写胴（１５）から離間されている。【選択図】図１
2008149722.tif 000002
【特許請求の範囲】
【請求項１】
複数の印刷部（１１、１２、１３、１４）を備えたロール紙印刷機の印刷ユニットであって、個々の印刷部（１１、１２、１３、１４）が、転写胴（１５）と、インキ部と、場合によっては湿し部と、を備えている印刷ユニットにおいて、
個々の印刷部（１１、１２、１３、１４）は、少なくとも二つの版胴（１７、１８）を有する版胴ユニット（１６）を備え、印刷モードにおいて、版胴ユニット（１６）の一つの版胴（１７）が、個々の印刷部（１１、１２、１３、１４）の転写胴（１５）に当接されているとき、前記版胴ユニット（１６）の他の版胴（１８）が、前記個々の印刷部（１１、１２、１３、１４）の転写胴（１５）から離間されていることを特徴とする印刷ユニット。
【請求項２】
個々の版胴ユニット（１６）の版胴（１７、１８）がそれぞれ共通の支持部に軸受けされているため、個々の版胴ユニット（１６）の版胴（１７、１８）は、前記個々の印刷部（１１、１２、１３、１４）の転写胴（１５）に対してともに移動可能であることを特徴とする請求項１に記載の印刷ユニット。
【請求項３】
印刷モードにおいて、個々の印刷部（１１、１２、１３、１４）の前記転写胴（１５）に当接されている、版胴ユニット（１６）の前記版胴（１７）は、駆動側において前記個々の印刷部（１１、１２、１３、１４）に連結されていることを特徴とする請求項１又は２に記載の印刷ユニット。
【請求項４】
印刷モードにおいて、個々の印刷部（１１、１２、１３、１４）の前記転写胴（１５）から離間されている、版胴ユニット（１６）の前記版胴（１８）は、駆動側において前記個々の印刷部（１１、１２、１３、１４）との連結が解除されていることを特徴とする請求項１〜３のいずれか一項に記載の印刷ユニット。
【請求項５】
前記個々の印刷部（１１、１２、１３、１４）の前記転写胴（１５）から離間されている、版胴ユニット（１６）の前記版胴（１８）において、印刷版の交換が実施可能であることを特徴とする請求項１〜４のいずれか一項に記載の印刷ユニット。
【請求項６】
前記個々の印刷部（１１、１２、１３、１４）の前記転写胴（１５）から離間されている、版胴ユニット（１６）の前記版胴（１８）において、印刷版の画線部形成が実施可能であることを特徴とする請求項１〜４のいずれか一項に記載の印刷ユニット。
【発明の詳細な説明】
【技術分野】
【０００１】
本発明は、複数の印刷部を備えたロール紙印刷機の印刷ユニットであって、個々の印刷部が、転写胴と、インキ部と、場合によっては湿し部と、を備えている、ロール紙印刷機の印刷ユニットに関するものである。
【背景技術】
【０００２】
実際に知られているロール紙印刷機の印刷ユニットは複数の印刷部を備え、個々の印刷部は、転写胴と、版胴と、インキ部と、場合によっては湿し部と、を有している。版胴はプレート胴、転写胴はゴム胴とも呼ばれる。このような印刷ユニットはさらに圧胴を有していてもよく、このとき圧胴は、一つ又は複数の異なる印刷部の転写胴と協働することができる。圧胴はサテライト胴とも呼ばれるため、少なくとも一つの圧胴を備える印刷ユニットは、サテライト型印刷ユニットとも呼ばれる。圧胴を有する印刷ユニットの他に、圧胴を有さない印刷ユニットも知られており、圧胴を有さない印刷ユニットでは二つの印刷部の転写胴が互いに当接しながら回転する。
【０００３】
印刷ユニットの印刷部の版胴には、印刷すべき印刷画線部を担持する印刷版が載置されている。印刷すべき印刷画線部が変化するとき、印刷版を交換するか、新たに画線部形成を行わなければならない。そのために、印刷機における印刷モードを中断する必要がある。従って、印刷版の交換もしくは印刷版の画線部形成を行う間は、印刷ユニットを印刷のために用いることができない。これによって、印刷ユニットの生産利用可能性が制限されてしまう。
【発明の開示】
【発明が解決しようとする課題】
【０００４】
上述した点に鑑み、本発明は、新たな種類のロール紙印刷機の印刷ユニットを作り出すことをその課題とする。
【課題を解決するための手段】
【０００５】
前記課題は、複数の印刷部を備えたロール紙印刷機の印刷ユニットであって、個々の印刷部が、転写胴と、インキ部と、場合によっては湿し部と、を備えている、ロール紙印刷機の印刷ユニットによって解決される。本発明によれば、個々の印刷部は少なくとも二つの版胴を有する版胴ユニットを備え、印刷モードにおいて版胴ユニットの一つの版胴が当該個々の印刷部の転写胴に当接されている一方、当該版胴ユニットの他の版胴は当該個々の印刷部の転写胴から離間されている。
【０００６】
本発明によれば、本発明に係る印刷ユニットの個々の印刷部は少なくとも二つの版胴を有する版胴ユニットを有している。当該版胴ユニットの一つの版胴は、印刷モードにおいて当該個々の印刷部の転写胴に当接されている。それに対して、当該版胴ユニットの他の版胴は、印刷モードにおいて当該個々の印刷部の転写胴から離間されている。印刷モードの間に、当該個々の印刷部の転写胴から離間されている版胴において、印刷モードと並行して、印刷版の交換もしくは印刷版の画線部形成を行うことができる。これによって、本発明に係る印刷ユニットの生産利用可能性を増大させることができる。
【０００７】
個々の版胴ユニットの版胴は、好適にそれぞれ共通の支持部に軸受けされているので、個々の版胴ユニットの版胴は、当該個々の印刷部の転写胴に対してともに移動可能である。
【０００８】
本発明に好適なさらなる態様は、従属請求項及び以下に記載する詳細な説明に記載されている。以下に本発明の実施の形態を、図面に基づいてより詳細に説明するが、本発明はこれらの実施の形態に限定されるものではない。
【０００９】
図１は、本発明に係るロール紙輪転印刷機の印刷ユニット１０の概略図である。図１の印刷ユニット１０は、サテライト型印刷ユニットとして実現されている。
【００１０】
図１の印刷ユニット１０は、図示したように四つの印刷部１１、１２、１３、１４を備え、個々の印刷部１１、１２、１３、１４は転写胴１５を有しており、全ての転写胴１５は、サテライト胴とも呼ばれる圧胴１９に当接しながら回転する。個々の印刷部１１、１２、１３、１４は、転写胴１５の他にさらに版胴ユニット１６と、図示されていないインキ部と、好適には、同様に図示されていない湿し部と、を備えている。
【００１１】
個々の印刷部１１、１２、１３、１４の版胴ユニット１６は、図示する実施の形態において、二つの版胴１７、１８を備えている。印刷モードにおいて、版胴のうちの一つ版胴１７は個々の印刷部１１、１２、１３、１４の転写胴１５に当接されている一方、当該版胴ユニット１６の他方の版胴１８は当該個々の印刷部１１、１２、１３、１４の転写胴１５から離間されている。
【００１２】
印刷モードにおいて、当該個々の印刷部１１、１２、１３、１４の転写胴１５に当接されている、版胴ユニット１６の版胴１７は、駆動側において当該個々の印刷部１１、１２、１３、１４に連結されている。印刷モードにおいて、当該個々の印刷部の転写胴１５から離間されている、版胴ユニット１６の版胴１８は、駆動側において当該個々の印刷部１１、１２、１３、１４との連結を解除されている。
【００１３】
個々の版胴ユニット１６の版胴１７、１８は、好適にそれぞれ共通の支持部に軸受けされている。従って版胴ユニット１６の版胴１７、１８は、当該個々の印刷部１１、１２、１３、１４の転写胴１５に対してともに移動可能である。すなわち、当接及び離間を行うために直線的に調整可能であるとともに、離間された状態で当該個々の印刷部の転写胴１５に対して回転可能である。
【００１４】
印刷部１１、１２、１３、１４の転写胴１５に当接されているとともに、駆動側において当該個々の印刷部に連結された版胴１７は、印刷モードにおいて、印刷画線部もしくは部分印刷画線部を印刷すべき被印刷材料に設けるために用いられる。
【００１５】
印刷モードにおいて、転写胴１５から離間されているとともに、駆動側において当該個々の印刷部との連結を解除されている版胴１８では、印刷モードと並行して印刷版の交換又は印刷版の画線部形成を行うことができる。印刷版の交換を行う際に、当該個々の版胴１８では印刷版の交換を手動又は自動で行うことができる。当該個々の版胴１８において印刷版の画線部形成を行う際に、当該個々の版胴に対して好適に画線部形成部が当接され、当該画線部形成部によって古い印刷画線部は版胴１８に配置された印刷版から消去され、その後新たな画線部を設けることができる。
【００１６】
図示する実施の形態とは異なり、個々の印刷ユニット１６が二つ以上の版胴を備えることも可能である。その場合も版胴のうちの一つのみが、印刷モードにおいて当該個々の印刷部の転写胴１５に当接されており、印刷ユニット１６の残りの版胴は印刷運転中に当該個々の転写胴１５から離間されている。
【００１７】
本発明に係る印刷ユニット１０は、印刷版の交換もしくは印刷版の画線部形成を行うために、当該印刷ユニットの少なくとも一つの印刷部において以下のように運転される。印刷注文の終了後、少なくとも一つの印刷部１１、１２、１３、１４において、図示されていないインキ部と、場合によっては図示されていない湿し部とが、先行する印刷モードにおいて転写胴１５に当接されている版胴から離間される。続いて、当該個々の印刷部１１、１２、１３、１４の版胴ユニット１６は移動され、それによって先行する印刷モードにおいて当該個々の印刷部の転写胴１５に当接されている版胴は、当該転写胴１５から離間され、先行する印刷モードにおいて当該個々の印刷部の転写胴１５から離間されている版胴は、当該個々の印刷部の転写胴１５に当接される。その後、インキ部と、場合によっては湿し部とが、後続の印刷モードのために、当該個々の印刷部の転写胴１５に当接されている版胴に当接される。続いて行われるべき印刷モードと並行して、当該個々の印刷部の、転写胴１５から離間されている版胴１８において、印刷版の交換又は印刷版の画線部形成が行われる。印刷モードと並行して、印刷版の交換又は印刷版の画線部形成を行うことによって、印刷ユニット１０の生産利用可能性を増大させることができる。
【図面の簡単な説明】
【００１８】
【図１】本発明に係るロール紙輪転印刷機の印刷ユニットの概略図である。
【符号の説明】
【００１９】
１０  印刷ユニット  
１１  印刷部
１２  印刷部
１３  印刷部
１４  印刷部
１５  転写胴
１６  版胴ユニット
１７  版胴
１８  版胴
１９  圧胴
【図１】
2008149722.tif 000003